(57)【要約】【課題】  クリーンルームなどの天井や壁などに設置される吹出し用フィルタなどに用いられるフィルタ装置を設置するに際して、設置作業の手間がかからず、作業効率を向上することが可能なフィルタ装置およびその設置方法を提供する。【解決手段】  フィルタエレメント３０とフィルタ枠２０とからなるフィルタユニット４０と、フィルタユニット４０に接続されたダクト６０とを備えており、フィルタ枠２０は押し出し成形による枠片２１が連結されて形成されており、フィルタ枠２０はフィルタエレメント３０を着脱自在に取り付けるための装着構造５０を有しており、フィルタ枠２０の接続部２０ａの側壁２２ａの面とダクト６０の接続部の壁６１の面とが重なり合うようにして接続されているフィルタ装置１０。【選択図】  図１
2008134007.tif 000002
【特許請求の範囲】
【請求項１】
天井または壁に取り付けられるフィルタ装置であって、該フィルタ装置はフィルタエレメントと該フィルタエレメントを取り付けるためのフィルタ枠とからなるフィルタユニットと、該フィルタユニットに接続されたダクトとを備えており、前記フィルタ枠は押し出し成形による枠片が連結されて形成されており、前記フィルタ枠は前記フィルタエレメントを着脱自在に取り付けるための装着構造を有しており、前記フィルタ枠の接続部の側壁の面と前記ダクトの接続部の壁の面とが重なり合うようにして接続されていることを特徴とするフィルタ装置。
【請求項２】
前記側壁によって囲まれて形成された上流側の開口寸法が、前記フィルタエレメントの開口寸法と略同一寸法であることを特徴とする請求項１に記載のフィルタ装置。
【請求項３】
前記フィルタ枠の接続部の側壁の高さは前記フィルタエレメントの高さよりも低いことを特徴とする請求項１または２に記載のフィルタ装置。
【請求項４】
前記装着構造が、側面に凹部が形成された保持枠を有する前記フィルタエレメントを前記フィルタ枠に押圧部材によって装着する構造であって、前記フィルタ枠が前記フィルタエレメントを受け止める受け部と軸部材を回転可能に支持する支持部とを備えており、前記押圧部材は、前記凹部に挿入される挿入部と、該挿入部の回転軸と同じ軸を有するネジ部が設けられた第１ネジとを備えており、前記軸部材又は前記支持部は、前記第１ネジと螺合するネジ部が設けられた第２ネジを備えていて、前記第２ネジと第１ネジとを螺合させ、且つ前記軸部材を前記支持部で支持しながら回転させることにより、前記押圧部材を回動させて、前記挿入部を前記凹部に挿入させると共に該挿入部を前記回転軸方向に移動させ、次いで該挿入部を前記凹部の接触部に接触させると共に該挿入部が該接触部を押圧するようにして、該挿入部と前記受け部の間に該接触部を挟み込むようにした装着構造であることを特徴とする請求項１〜３のいずれかに記載のフィルタ装置。
【請求項５】
天井または壁に取り付けられるフィルタ装置に用いるフィルタユニットであって、該フィルタユニットはフィルタエレメントと該フィルタエレメントを取り付けるためのフィルタ枠とからなり、該フィルタ枠は押し出し成形による枠片が連結されて形成されており、前記フィルタ枠は前記フィルタエレメントを着脱自在に取り付けるための装着構造を有しており、前記フィルタ枠の接続部の側壁の面と前記ダクトの壁の面とを重ね合わせて接続することが可能な構造を有しており、前記側壁が前記ダクトに接続することによってフィルタ装置が形成されることを特徴とするフィルタユニット。
【請求項６】
フィルタ枠を天井または壁に取り付ける工程と、前記フィルタ枠にダクトを接続する工程と、前記フィルタ枠にフィルタエレメントを取り付ける工程とを含むフィルタ装置の設置方法であって、前記フィルタ枠は押し出し成形による枠片が連結されて形成されており、前記フィルタ枠は前記フィルタエレメントを着脱自在に取り付けるための装着構造を有しており、前記フィルタ枠の接続部の側壁の面と前記ダクトの壁の面とを重ね合わせて接続することを特徴とするフィルタ装置の設置方法。
【発明の詳細な説明】
【技術分野】
【０００１】
本発明は、クリーンルームなどの天井や壁などに設置される吹出し（又は給気）用フィルタ又は吸込み（又は排気）用フィルタなどに好適に用いられるフィルタ装置およびフィルタ装置の設置方法に関する。
【背景技術】
【０００２】
従来より、高い清浄度が要求される室には、前処理用のフィルタ装置によって塵埃が除去された清浄空気が部屋の天井などから吹出すように（又は吸込むように）、吹出し口（又は吸い込み口）が設けられており、この吹出し口（又は吸い込み口）には、さらに空気の清浄度を高めるべく、高性能のフィルタエレメントを内蔵する吹出し（又は吸い込み）用のフィルタユニットが設置されている。そして、このフィルタユニットはダクトに接続されており、ダクトはさらに送風機に接続されている。
【０００３】
前述のフィルタユニットは、通常板金加工によって箱型に形成されており、フィルタエレメントを取り付け内蔵する機能と、フィルタエレメントの上部に大きな空間を設けて、気流を均一に分散させる機能と、ダクトに接続するためのフランジを指定の場所に設けることのできるように中継部材としての機能とを有している。このような、フィルタユニットとしては、例えば図１０に示すように、特許文献１の空気吹出し装置に記載されるフィルタユニット１０５がある。図１０はクリーンルーム１０４の天井面１０４ｄに設置されたフィルタユニット１０５を示す正断面図である。フィルタユニット１０５は金属板により形成された箱状の本体を備え、上部の一側には図示しない吸気ダクトに接続されるダクト接続口１０５ｂが形成され、このダクト接続口１０５ｂ内には吸気量を調整するボリュームダンパー１０５ｃが設けられている。また、フィルタユニット１０５は上記ボリュームダンパ１０５ｃの下流側に高性能フィルタ１０５ａが取付けられており、フィルタユニット１０５に流入した空気は全てこの高性能フィルタ１０５ａを通過してクリーンルーム１０４内に供給されるように構成されている。
【０００４】
このように、フィルタユニット１０５の箱状の本体上部の一側には図示されていない吸気ダクトに接続されるダクト接続口１０５ｂが形成されており、このダクト接続口１０５ｂは図１０から明らかなように、本体上部の一側がフランジ状に形成されており、またこのフランジに接合したダクト用のフランジが示されている。いいかえると、本体上部の一側の壁の面に対して直角の面とこの面で接合したダクト用のフランジが示されている。
【０００５】
しかし、このような空気吹出し装置を設置しようとする場合、フィルタユニット１０５を製作する業者とダクト配管をする業者とがフランジの大きさとフランジが配置される空間の位置とを設置前に打合せによって取り決めておく必要がある。そのため、打合せに手間がかかったり、ダクト配管またはフランジの位置の変更がある度に、どちらかの業者が仕様変更を余儀なくされることになり、相手の業者の都合で納期がぎりぎりになってしまい作業効率が極めて悪くなるという問題があった。
【０００６】
また、前述のフィルタユニットの別例としては、例えば図１１に示すように、特許文献２の清浄空気吹出装置２０１がある。この清浄空気吹出装置２０１はケーシング２０２と、これに装着されるエアフィルタユニット２０３とからなり、この例ではケーシング２０２にダクト２０４が連結されている。また、エアフィルタユニット２０３はエアフィルタ２０５とこれを囲繞するフィルタ取付枠２０６とからなっている。また、ケーシング２０２は、天井部を形成する天井板２０７と、この周縁から垂下してケーシング内の空間部２０８を形成する側板２０９とからなり、側板２０９の下方には開口部が形成される。また、側板２０９の下端には水平方向に折り曲げられた下面部２１０および下面部２１０から上方にほぼ垂直に立ち上がるフランジ部２１１が形成される。また、側板２０９の一部には開放口２１２が形成される。この開放口２１２のある側の側板２０９にはダクト２０４が連結される。なお、ダクト２０４とケーシング２０２の側板２０９との連結はダクト接続フランジ２１３と側板２０９側との間に架設されるポップナット２３２ａとビス２３２ｂにより行われる。また、図１１に点線で示すように、ケーシング２０２の上流側にダクト２０４の代わりにファン２１４を設ける場合もある。
【０００７】
このように、特許文献２の清浄空気吹出装置にあっては、ケーシング２０２と、これに装着されるエアフィルタユニット２０３とに分かれており、その取付け、分割施工作業が容易にできるという利点はあるものの、特許文献１の空気吹出し装置と同様の問題が未解決である。すなわち、このような清浄空気吹出装置を設置しようとする場合、ケーシング２０２及びエアフィルタユニット２０３を製作する業者とダクト配管をする業者とがフランジの大きさとフランジが配置される空間の位置とを設置前に打合せによって取り決めておく必要がある。そのため、打合せに手間がかかったり、ダクト配管またはフランジの位置の変更がある度に、どちらかの業者が仕様変更を余儀なくされることになり、相手の業者の都合で納期がぎりぎりになってしまい作業効率が極めて悪くなるという問題があった。
【０００８】
【特許文献１】特開平１０−１８５２８９号公報
【特許文献２】特開平１１−１４１９４２号公報
【発明の開示】
【発明が解決しようとする課題】
【０００９】
本発明は、上記問題を解決して、クリーンルームなどの天井や壁などに設置される吹出し（又は給気）用フィルタ又は吸込み（又は排気）用フィルタなどに用いられるフィルタ装置を設置するに際して、設置作業の手間がかからず、作業効率を向上することが可能なフィルタ装置およびフィルタ装置の設置方法を提供することを課題とする。
【課題を解決するための手段】
【００１０】
上記課題を解決するための手段は、請求項１に係る発明では、図１〜図４に例示するように、天井８０または壁８１に取り付けられるフィルタ装置１０であって、該フィルタ装置１０はフィルタエレメント３０と該フィルタエレメント３０を取り付けるためのフィルタ枠２０とからなるフィルタユニット４０と、該フィルタユニット４０に接続されたダクト６０とを備えており、前記フィルタ枠２０は押し出し成形による枠片２１が連結されて形成されており、前記フィルタ枠２０は前記フィルタエレメント３０を着脱自在に取り付けるための装着構造５０を有しており、前記フィルタ枠２０の接続部２０ａの側壁２２ａの面と前記ダクト６０の接続部の壁６１の面とが重なり合うようにして接続されていることを特徴とするフィルタ装置１０である。請求項１に係る発明により、クリーンルームなどの天井や壁などにフィルタ装置を設置するに際して、設計変更が極めて少ないフィルタエレメントの寸法とフィルタエレメントの位置とを基準としてフィルタユニットを製作する業者とダクト配管をする業者とが、夫々並行して作業を進めることが可能となる。そのため、設置作業の手間がかからず、工期の短縮を図ることが可能となり、結果として作業効率を向上することができる。
【００１１】
請求項２に係る発明では、図１（ｂ）に例示するように、前記側壁２２ａによって囲まれて形成された上流側の開口寸法Ｌ２２が、前記フィルタエレメント３０の開口寸法Ｌ３０と略同一寸法であることを特徴とする請求項１に記載のフィルタ装置１０である。請求項２に係る発明により、押し出し成形による枠片２１の材料の質量を少なくすることが可能となり、低コスト化と軽量化が可能となる。また、軽量化が可能となるので、フィルタユニットの設置の作業効率を向上させることができるという利点がある。また空気をより流れ易くすることができるという利点がある。
【００１２】
請求項３に係る発明では、図３に例示するように、前記フィルタ枠２０の接続部２０ａの側壁２２ａの高さＨ２２は前記フィルタエレメント３０の高さＨ３０よりも低いことを特徴とする請求項１または２に記載のフィルタ装置１０である。請求項３に係る発明により、フィルタ枠２０の材料の質量を少なくすることが可能となり、低コスト化と軽量化が可能となる。また、軽量化が可能となるので、フィルタユニットの設置の作業効率を向上させることができるという利点がある。
【００１３】
請求項４に係る発明では、図８または図９に例示するように、前記装着構造５０が、側面に凹部３３が形成された保持枠３１を有する前記フィルタエレメント３０を前記フィルタ枠２０に押圧部材５１によって装着する構造であって、前記フィルタ枠２０が前記フィルタエレメント３０を受け止める受け部２６と軸部材５４を回転可能に支持する支持部２５とを備えており、前記押圧部材５１は、前記凹部３３に挿入される挿入部５１ａと、該挿入部５１ａの回転軸と同じ軸を有するネジ部が設けられた第１ネジ５２とを備えており、前記軸部材５４又は前記支持部２５は、前記第１ネジ５２と螺合する（又は噛み合う）ネジ部が設けられた第２ネジ５３を備えていて、前記第２ネジ５３と第１ネジ５２とを螺合させ（又は噛み合わせ）、且つ前記軸部材５４を前記支持部２５で支持しながら回転させることにより、前記押圧部材５１を回動させて、前記挿入部５１ａを前記凹部３３に挿入させると共に該挿入部５１ａを前記回転軸方向に移動させ、次いで該挿入部５１ａを前記凹部３３の接触部３６に接触させると共に該挿入部５１ａが該接触部３６を押圧するようにして、該挿入部５１ａと前記受け部２６の間に該接触部３６を挟み込むようにした装着構造５０であることを特徴とする請求項１〜３のいずれかに記載のフィルタ装置１０である。請求項４に係る発明により、図１〜図４に示されるような大きくて質量の大きいカバー部材７０を用いる必要がなく、フィルタエレメント３０の室内側にフィルタエレメントの表面の破損を防ぐため備えられるフェースガード３５をそのまま代用することが可能となる。そのため、厚さの薄い材料からなるダクト６０とフィルタユニット４０とを接続するにあたり、ダクト６０の材料に大きな負担をかけることがなく、例えば振動などによる接続部の劣化を確実に防止するなどといった耐久性を持たせることができるという利点がある。
【００１４】
請求項５に係る発明では、図１〜図４に例示するように、天井８０または壁８１に取り付けられるフィルタ装置１０に用いるフィルタユニット４０であって、該フィルタユニット４０はフィルタエレメント３０と該フィルタエレメント３０を取り付けるためのフィルタ枠２０とからなり、該フィルタ枠２０は押し出し成形による枠片２１が連結されて形成されており、前記フィルタ枠２０は前記フィルタエレメント３０を着脱自在に取り付けるための装着構造５０を有しており、前記フィルタ枠２０の接続部２０ａの側壁２２ａの面と前記ダクト６０の壁６１の面とを重ね合わせて接続することが可能な構造を有しており、前記側壁２２ａが前記ダクト６０に接続することによってフィルタ装置１０が形成されることを特徴とするフィルタユニット４０である。請求項５に係る発明により、クリーンルームなどの天井や壁などにフィルタ装置を設置するに際して、設計変更が極めて少ないフィルタエレメントの寸法とフィルタエレメントの位置とを基準としてフィルタユニットを製作する業者とダクト配管をする業者とが、夫々並行して作業を進めることが可能となるので、設置作業の手間がかからず、作業効率を向上することができる。
【００１５】
請求項６に係る発明では、図１〜図４に例示するように、フィルタ枠２０を天井８０または壁８１に取り付ける工程と、前記フィルタ枠２０にダクト６０を接続する工程と、前記フィルタ枠２０にフィルタエレメント３０を取り付ける工程とを含むフィルタ装置１０の設置方法であって、前記フィルタ枠２０は押し出し成形による枠片２１が連結されて形成されており、前記フィルタ枠２０は前記フィルタエレメント３０を着脱自在に取り付けるための装着構造５０を有しており、前記フィルタ枠２０の接続部２０ａの側壁２２ａの面と前記ダクト６０の壁６１の面とを重ね合わせて接続することを特徴とするフィルタ装置１０の設置方法。請求項６に係る発明により、クリーンルームなどの天井や壁などにフィルタ装置を設置するに際して、設計変更が極めて少ないフィルタエレメントの寸法とフィルタエレメントの位置とを基準としてフィルタユニットを製作する業者とダクト配管をする業者とが、夫々並行して作業を進めることが可能となる。そのため、設置作業の手間がかからず、工期の短縮を図ることが可能となり、結果として作業効率を向上することができる。
【発明の効果】
【００１６】
本発明によって、クリーンルームなどの天井や壁などに設置される吹出し（又は給気）用フィルタ又は吸込み（又は排気）用フィルタなどに用いられるフィルタ装置を設置するに際して、設置作業の手間がかからず、作業効率を向上することが可能なフィルタ装置およびフィルタ装置の設置方法を提供することが可能となった。
【発明を実施するための最良の形態】
【００１７】
以下、本発明に係るフィルタ装置およびフィルタ装置の設置方法の好ましい実施の形態について詳細に説明する。なお、フィルタ装置の設置方法の説明については、フィルタ装置の説明の中で説明する。
【００１８】
本発明は、クリーンルームなどの天井や壁などに設置される吹出し（又は給気）用フィルタ又は吸込み（又は排気）用フィルタなどに用いられるフィルタ装置であり、特に設置作業の手間がかからず、作業効率を向上することが求められる場合に好適なフィルタ装置、およびそのようなフィルタ装置の設置方法に関する。
【００１９】
本発明のフィルタ装置は、図１または図４に例示するように、クリーンルームなどの天井８０または壁８１に取り付けられるフィルタ装置１０であって、このフィルタ装置１０はフィルタユニット４０とこのフィルタユニット４０に接続されたダクト６０とを備えている。そして、このフィルタユニット４０は、フィルタエレメント３０とこのフィルタエレメント３０を取り付けるためのフィルタ枠２０とから構成されている。
【００２０】
前記フィルタ枠２０は、図２に例示するように、押し出し成形による枠片２１が連結されて形成されている。押し出し成形による枠片２１は、例えばアルミニウム、鉄、またはステンレスなどの金属が押し出し成形によって、断面が同一の形状に形成された部材であり、この部材を組み合わせることによってフィルタエレメント３０のフィルタ枠２０となるように、複数の凹凸部分や突起を備え、連結子や部品を装着可能な形状を有すると共にフィルタエレメント３０を取り付けられる形状になっている。材質としては、アルミニウムまたはその合金などの軽金属が軽く、強度も高く、また加工も容易のため好ましい。また、押し出し成形により、角部分の肉厚を厚くするなど必要に応じて断面形状を自由に選択できるので、フィルタ枠２０は頑丈な構造とすることができる。そのため従来のように、フィルタ枠を板金加工によって箱型に形成する必要はなく、本発明においては、このフィルタ枠２０に比較的肉厚の薄い材料からなるダクト６０を接続してもフィルタ装置１０全体としての強度を保つことができる。そして、ダクト６０の内部の空間に、気流を均一に分散させる機能を担わせることができるのである。
【００２１】
前記枠片２１の具体的な形状としては、例えば図１〜図３に例示する形状があり、この例では、図２に示すように枠片２１ａ、２１ｂには連結子を挿入するための溝が設けられており、この溝に８個のＬ字形の連結子２３ａ、２３ｂが挿入されており、さらにこれらの連結子２３ａ、２３ｂが４個の枠片２１ａ、２１ｂにボルトによって固定されている。このようにして、各枠片２１が各連結子によって連結されフィルタ枠２０が形成されている。
【００２２】
本発明では、図１（ｃ）に例示するように、前記フィルタ枠２０の接続部２０ａの側壁２２ａの面と前記ダクト６０の接続部の壁６１の面とが重なり合うようにして接続されている。ここで、フィルタ枠２０の接続部２０ａとは、ダクトへの接続部を指し、フィルタエレメント３０を収納する部分２０ｂに隣接してダクトへの接続のために設けられた部分である。また、この部分はその断面をみると先端部分がＬ字形に曲げられており、フィルタ枠２０を補強するための機能を果たしている。また、ダクト６０の接続部とは、フィルタ枠２０への接続部を指し、ダクト６０の先端付近の部分であることが好ましい。このようにして、この接続部２０ａの側壁２２ａの面とダクト６０の接続部の壁６１の面とが重なり合うようにして接続されている。
【００２３】
前記フィルタ枠２０の接続部２０ａの側壁２２ａの面と前記ダクト６０の接続部の壁６１の面とが重なり合うようにして接続されているが、接続の形態の具体例としては、室内用天井８０又は壁８１のさらに上部にある建物の構造体（例えばスラブ）に吊り下げるようにしてダクト６０を予め設置した後に、このダクト６０の開口部の中に、フィルタ枠２０の接続部を滑り込ませるようにして挿入させ、側壁２２ａの面とダクト６０の接続部の壁６１の面とを重ね合わせるようにする。ついでフィルタ枠の側壁２２ａの内側（空気通過側）の面からビス６２を、ダクト６０の接続部の壁６１の面に向かってねじ込み、このビス６２を用いて接続する方法がある。なお、ビス６２を用いて接続するには、天井裏又は壁裏に人が入り、ダクト６０の接続部の壁６１の面からビス６２を、フィルタ枠の側壁２２ａの内側（空気通過側）の面に向かってねじ込む方法も可能である。しかし、フィルタ枠の内側からビス止めが可能である限りは、前者のフィルタ枠の側壁２２ａの内側（空気通過側）の面からビス６２を用いて、フィルタ枠２０とダクト６０とを接続する方法が、作業の手間や作業効率の点から好ましい。
【００２４】
なお、前述の接続部分のシールを確実にするため、図５（ａ）に例示するように、前記フィルタ枠２０の接続部２０ａの側壁２２ａの先端部分と前記ダクト６０の接続部の壁６１とが接する部分を中心として、樹脂によりコーキングしてシール部６３を設けることも可能である。また、図５（ｂ）に例示するように、ビス６２の頭の部分が被さるようにして、テープ材６４によって接続部分が覆われた形態も好ましい。なおこの場合、天井裏又は壁裏に人が入り、接続部分にテープ材６４を貼付する作業を行なう必要がある。
【００２５】
また、本発明では、フィルタ枠２０とダクト６０の接続部分の耐久性を向上するため、図６（ａ）に例示するように、フィルタ枠２０が室内用天井８０又は壁８１のさらに上部にある建物の構造体（例えばスラブ）に吊り下げるようにして固定されていることも好ましい。図６（ａ）では、フィルタ枠２０におけるフィルタエレメント３０を収納する部分２０ｂの側壁２２ｂに、接続金具８２を挿入するための溝が設けられており、この溝に接続金具８２が挿入されており、接続金具８２はさらに建物の構造体（例えばスラブ）から垂下される長ボルト８３によって支持されている。
【００２６】
また、本発明では、フィルタ枠２０とダクト６０の接続部分の耐久性を向上するため、図６（ｂ）に例示するように、フィルタ枠２０が室内用天井８０に固定されていることも好ましい。図６（ｂ）では、フィルタ枠２０におけるフィルタエレメント３０を収納する部分２０ｂの側壁２２ｂに、接続金具８２を挿入するための溝が設けられており、この溝に接続金具８２が挿入されている。そして、接続金具８２に取り付けられたボルト８４の先端と、フィルタ枠の側壁２２ｂにこの接続金具８２と対向するようにして設けられている端部２０ｃとの間に、室内天井８０を構成するボードを骨材８５を介して挟み込むようにして、フィルタ枠２０が室内天井８０に固定されている。また、この室内用天井８０には、骨材８６が設けられており、建物の構造体（例えばスラブ）から垂下される長ボルト８３に連結された吊り金具８７が、この骨材８６に巻き付けられるようにして固定されており、室内用天井８０が建物の構造体（例えばスラブ）に吊り下げられるようにして設置されている。
【００２７】
本発明では、フィルタエレメントとしては、フィルタエレメントを着脱自在に取り付けるための装着構造を有したフィルタ枠に取り付けが可能である限り、特に限定されないが、図１または図３に例示するように、フィルタエレメント３０は濾材３４を有すると共にこの濾材３４を保持する保持枠３１を備えていることが好ましい。保持枠３１の形態の具体例としては、前記フィルタ枠２０と同様に、押し出し成形による枠材が連結されて形成されていることが望ましい。図３の例では、この枠材は、この枠材に設けられた連結用の溝３７にボルトを挿入することによって連結することが可能である。材質としても、アルミニウムまたはその合金などの軽金属が軽く、強度も高く、また加工も容易のため好ましい。また、フィルタエレメント３０の室内側に、フィルタエレメント３０または前記濾材３４の表面の破損を防ぐために、パンチングメタルなどからなるフェースガード３５が設けられることが望ましい。
【００２８】
前記濾材３４としても特に限定されず、ガラス繊維や有機質繊維からなる高性能濾材をプリーツ折り加工したＨＥＰＡフィルタのみならず、比較的太い繊維が３次元的に配向された嵩高な平板状の粗塵用の濾材であることも可能である。また、このＨＥＰＡフィルタや中高性能フィルタに用いられる不織布からなる濾材の具体例としては、例えば、メルトブロー法によって製造された平均繊維径が０．１〜１０μｍの極細繊維５〜５０質量％と、平均繊維径が１０〜１００μｍの熱融着性繊維５０〜９５質量％とが混在し、この熱融着性繊維が融着した不織布からなる濾材がある。このような濾材とすることにより、ＪＩＳ比色法効率９０％以上の高性能フィルタ、同比色法効率４０％以上の中性能フィルタに適合させることが可能である。なお、ＪＩＳ比色法効率はＪＩＳＢ９９０８に規定される試験による値である。
【００２９】
また、本発明では、図１（ｂ）に例示するように、フィルタ枠２０の接続部２０ａの側壁２２ａによって囲まれて形成された上流側の開口寸法Ｌ２２がフィルタエレメントの開口寸法Ｌ３０と略同一寸法であることが好ましい。すなわち、フィルタ枠２０の接続部２０ａの側壁２２ａによって囲まれて形成された上流側の開口部の一辺の寸法Ｌ２２が、フィルタエレメント３０の開口部（この図では、フィルタエレメント３０を構成する濾材３４の面に相当する。またはフィルタ保持枠３１の内側の開口部に相当する。）の対応する一辺の寸法Ｌ３０と略同一寸法であることが好ましい。略同一とは、実質的に同一であることを指し、具体的には夫々の辺の長さの相違が短い方の辺に対して１０％以内に収まることが好ましく、５％以内に収まることがより好ましく、２％以内に収まることが更に好ましい。前記側壁２２ａによって囲まれて形成された上流側の開口寸法がフィルタエレメントの開口と略同一寸法であることによって、押し出し成形による枠片２１の材料の質量を少なくすることが可能となり、低コスト化と軽量化が可能となる。また、軽量化が可能となるので、フィルタユニットの設置の作業効率を向上させることができるという利点がある。また空気をより流れ易くすることができるという利点がある。
【００３０】
また、本発明では、図３に例示するように、フィルタ枠２０の接続部２０ａの側壁２２ａの高さＨ２２はフィルタエレメント３０の高さＨ３０よりも低いことが好ましい。具体的には、フィルタ枠２０の接続部２０ａの側壁の高さＨ２２が前記フィルタエレメント３０の高さＨ３０の２５〜１００％であることが好ましく、２５〜７５％であることがより好ましく、２５〜５０％であることが更に好ましい。フィルタ枠２０の接続部２０ａの側壁２２ａの高さＨ２２がフィルタエレメント３０の高さＨ３０よりも低いことによって、フィルタ枠２０の材料の質量を少なくすることが可能となり、低コスト化と軽量化が可能となる。また、軽量化が可能となるので、フィルタユニットの設置の作業効率を向上させることができるという利点がある。
【００３１】
本発明では、図１および図３に例示するように、前記フィルタ枠２０は前記フィルタエレメント３０を着脱自在に取り付けるための装着構造５０を有している。この装着構造は、フィルタ枠２０に前記フィルタエレメント３０を着脱自在に取り付けることができる限り特に限定されないが、フィルタエレメント３０を止着する止め部材を有していることが好ましく、その具体例として、図１および図３に示す装着構造５０を挙げることができる。図３では、フィルタエレメント３０の止め部材５５として、長方形の金属板とこの金属板にソケット５６とを一体化させたものを準備して、このソケットに長ボルト５７を挿入して、長ボルト５７の一端をフィルタ枠２０に固定して、次いで止め部材５５の一端をフィルタ保持枠３１の下端に当接して、ナット５８によって締め込むことにより、フィルタ枠２０にフィルタエレメント３０を着脱自在に取り付けることができる。なお、この装着構造を用いるにあたり、フィルタ枠２０と当接するフィルタ保持枠３１との間のシール性を向上させるため、フィルタ保持枠３１にゴム製などのパッキング３２が設けられている。また、図１〜図３では、装着構造部分がむき出しになるのを防ぐため、金属製や樹脂製のカバー部材７０がボルト７１によってフィルタ枠２０に取り付けられている。
【００３２】
装着構造の別例としては、図７に示す装着構造５０を挙げることができる。図７では、フィルタエレメント３０の止め部材５５として、４枚の長方形の金属板の両端部を夫々折り曲げ端部５５ａと他端部５５ｂを形成し、折り曲げた４枚の金属板を繋ぎ合わせて４角形の枠状に形成する。またフィルタ枠２０には支持部２５を設けておき、支持部にはネジ部を有するソケット５６を取り付けておく。次いで、ついで止め部材５５の一端５５ａをフィルタ保持枠３１の下端に当接して、この止め部材５５にソケットのネジ部と螺合する（又は噛み合う）ネジ部を有するボルト５７を挿入して、このボルト５７の先端部をソケット５６にねじ込み、且つ止め部材５５を締め込むことにより、フィルタ枠２０にフィルタエレメント３０を着脱自在に取り付けることができる。また、図７では、装着構造部分がむき出しになるのを防ぐため、カバー部材７０がボルト７１によってフィルタ枠２０に取り付けられている。
【００３３】
装着構造のさらに別例としては、図８に示す装着構造５０を挙げることができる。図８では、この装着構造５０は、側面に凹部３３が形成された保持枠３１を有するフィルタエレメント３０をフィルタ枠２０に押圧部材５１によって装着する構造である。詳細には、このフィルタ枠２０は、フィルタエレメント３０を受け止める受け部２６と軸部材５４を回転可能に支持する支持部２５を備えており、この押圧部材５１は凹部３３に挿入される挿入部５１ａと、この挿入部５１ａの回転軸と同じ軸を有する螺旋状のネジ部が設けられた第１ネジ５２とを備えている。また軸部材５４は、この第１ネジ５２と螺合する（又は噛み合う）ネジ部が設けられた第２ネジ５３を備えている。そして、第２ネジ５３と第１ネジ５２とを螺合させ（又は噛み合わせ）、且つ軸部材５４を支持部２５で支持しながら回転させることにより、押圧部材５１を回動させて、その挿入部５１ａを凹部３３に挿入させると共に挿入部５１ａをその挿入部５１ａの回転軸方向に移動させ、次いで挿入部５１ａを凹部３３の接触部３６に接触させると共にその挿入部５１ａが接触部３６を押圧するようにして、その挿入部５１ａと前記受け部２６の間にその接触部３６を挟み込むようにした装着構造５０となっている。
【００３４】
より詳しく説明すると、第２ネジ５３と第１ネジ５２とを螺合させ、且つ軸部材５４を支持部２５で支持しながら回転させることにより、まず軸部材５４の先端に設けてある押圧部材５１の挿入部５１ａが、フィルタエレメント３０の保持枠３１の凹部３３内に入って当該保持枠３１の壁に当接するまで、第２ネジ５３とともに回転するが、挿入部が５１ａが当該保持枠３１の壁に当接してそれ以上の回転ができなくなると、第２ネジの回転によってこれに螺合している第１ネジが回転軸方向である上方または下方に移動するだけとなる。
【００３５】
この装着構造により、図１〜図４に示されるような大きくて質量の大きいカバー部材７０を用いる必要がなく、フィルタエレメント３０の室内側にフィルタエレメント３０または濾材３４の表面の破損を防ぐため通常備えられているフェースガード３５をそのまま代用することが可能となる。そのため、厚さの薄い材料からなるダクト６０とフィルタユニット４０とを接続するにあたり、ダクト６０の材料に大きな負担をかけることがなく、例えば振動などによる接続部の劣化を確実に防止するなどといった耐久性を持たせることができるという利点がある。また、従来のようにカバー部材を外さなくても、室内側からフィルタエレメントを装着できるので、フィルタ装置の設置の作業効率が向上するという利点がある。
【００３６】
装着構造のさらに別例としては、図９に示す装着構造５０を挙げることができる。図９では、この装着構造５０は、側面に凹部３３が形成された保持枠３１を有するフィルタエレメント３０をフィルタ枠２０に押圧部材５１によって装着する構造である。詳細には、このフィルタ枠２０は、フィルタエレメント３０を受け止める受け部２６と軸部材５４を回転可能に支持する支持部２５を備えており、この押圧部材５１は凹部３３に挿入される挿入部５１ａと、この挿入部５１ａの回転軸と同じ軸を有する螺旋状のネジ部が設けられた第１ネジ５２とを備えている。また支持部２５は、この第１ネジ５２と螺合する（又は噛み合う）ネジ部が設けられた第２ネジ５３を、支持部２５に取り付けられたソケット５３’内に備えている。そして、第２ネジ５３と第１ネジ５２とを螺合させ（又は噛み合わせ）、且つ軸部材５４を支持部２５で支持しながら回転させることにより、押圧部材５１を回動させて、その挿入部５１ａを凹部３３に挿入させると共に挿入部５１ａをその挿入部５１ａの回転軸方向に移動させ、次いで挿入部５１ａを凹部３３の接触部３６に接触させると共にその挿入部５１ａが接触部３６を押圧するようにして、その挿入部５１ａと前記受け部２６の間にその接触部３６を挟み込むようにした装着構造５０となっている。
【００３７】
より詳しく説明すると、押圧部材５１は軸部材５４と摺動可能に一体化されており、支持部２５が第２ネジ５３を備えている。この図では、押圧部材５１は軸部材５２と押圧部材５１に設けた潤滑部材（この例では樹脂製のジュラコンブッシュ）５１ｂを介して摺動可能に一体化させている。具体的には、押圧部材５１に設けたソケットの内側にジュラコンブッシュ５１ｂを嵌め込んで押圧部材５１の摺動部を形成して、軸部材５４の先端部分のシャフトに設けた摺動部に、上から挿入するようにして摺動可能に一体化させている。この一体化は、固定されているわけではなく、ある程度の加重がかからないと外れない程度の一体化である。また、押圧部材５１がフィルタエレメント３０の保持枠３１に押し当てられ、さらに接触部３６を押圧する際の反力を支えるための部材としてナット５１ｃが軸部材５４に取り付けられている。
【００３８】
このように、図９では、支持部材２５で支持しながら回転させることにより、軸部材５４の先端部分に摺動可能に一体化した押圧部材５１を回動させて、その挿入部５１ａが保持枠３１の凹部３３内に入って当該保持枠３１の壁に当接してそれ以上の回転ができなくなると、第１ネジ５２を有する軸部材５４の先端部分の摺動部で押圧部材５１が摺動することになり、その一方第１ネジ５２は回転し続けて回転軸方向である上方または下方に移動して、押圧部材５１がフィルタエレメント３０の保持枠３１の凹部３３の接触部３６に押し当てられることになる。
【００３９】
この装着構造により、図１〜図４に示されるような大きくて質量の大きいカバー部材７０を用いる必要がなく、フィルタエレメント３０の室内側にフィルタエレメント３０または濾材３４の表面の破損を防ぐため通常備えられているフェースガード３５をそのまま代用することが可能となる。そのため、厚さの薄い材料からなるダクト６０とフィルタユニット４０とを接続するにあたり、ダクト６０の材料に大きな負担をかけることがなく、例えば振動などによる接続部の劣化を確実に防止するなどといった耐久性を持たせることができるという利点がある。また、従来のようにカバー部材を外さなくても、室内側からフィルタエレメントを装着できるので、フィルタ装置の設置の作業効率が向上するという利点がある。またフィルタ枠２０に装着構造用の部品一式を支持部２５と共に取り付けることができるので、図８に示す構造よりも、フィルタ装置の組み立ての作業効率が向上するという利点がある。
【００４０】
本発明のフィルタ装置の設置方法は、図１〜図４に例示するように、フィルタ枠２０を天井８０または壁８１に取り付ける工程と、このフィルタ枠２０にダクト６０を接続する工程と、このフィルタ枠２０にフィルタエレメント３０を取り付ける工程とを含むフィルタ装置１０の設置方法であって、フィルタ枠２０は押し出し成形による枠片２１が連結されて形成されており、フィルタ枠２０はフィルタエレメント３０を着脱自在に取り付けるための装着構造５０を有しており、フィルタ枠２０の接続部２０ａの側壁２２ａの面とダクト６０の壁６１の面とを重ね合わせて接続する構成からなっている。なお、フィルタ枠２０、ダクト６０、およびフィルタエレメント３０についての説明、並びにフィルタ枠２０の接続部２０ａの側壁２２ａの面とダクト６０の壁６１の面とを重ね合わせて接続する方法については、前述のフィルタ装置の説明で説明したとおりである。
【００４１】
本発明のフィルタ装置の設置方法により、クリーンルームなどの天井や壁などにフィルタ装置を設置するに際して、設計変更が極めて少ないフィルタエレメントの寸法とフィルタエレメントの位置とを基準としてフィルタユニットを製作する業者とダクト配管をする業者とが、夫々並行して作業を進めることが可能となる。そのため、設置作業の手間がかからず、工期の短縮を図ることが可能となり、結果として作業効率を向上することができる。例えば、ダクト配管をした後にフィルタユニットを設置して、接続部においてフィルタ枠の側壁とダクトの壁とを重ね合わせスライドさせながら固定位置を定めるだけで接続することが可能となる。
【図面の簡単な説明】
【００４２】
【図１】本発明のフィルタ装置を室内天井に設置した一例であり、（ａ）は平面図であり、（ｂ）は側面図であり、（ｃ）は（ａ）のＡ部分の拡大図である。
【図２】本発明のフィルタ装置の一例の要部拡大図である。（ａ）はフィルタ枠２０の要部拡大図であり、（ｂ）はフィルタ枠２０の断面図であり、（ｃ）はフィルタ枠２０に用いる結合子の平面図である。
【図３】本発明のフィルタ装置の一例の要部断面図である。
【図４】本発明のフィルタ装置を壁に設置した一例であり、（ａ）は平面図であり、（ｂ）は側面図であり、（ｃ）は（ａ）のＢ部分の拡大図である。
【図５】本発明のフィルタ装置の別の接続方法を説明する要部断面図である。（ａ）はフィルタ装置の要部断面図であり、（ｂ）は別のフィルタ装置の要部断面図である。
【図６】本発明のフィルタ装置の設置方法を説明する要部断面図である。（ａ）はフィルタ装置の要部断面図であり、（ｂ）は別のフィルタ装置の要部断面図である。
【図７】本発明のフィルタ装置の別の装着構造を説明する断面図である。
【図８】本発明のフィルタ装置の別の装着構造を説明する図である。（ａ）は断面図であり、（ｂ）は部品図である。
【図９】本発明のフィルタ装置の別の装着構造を説明する図である。（ａ）は断面図であり、（ｂ）は部品図である。
【図１０】従来のフィルタ装置の一例である。
【図１１】従来のフィルタ装置の別例である。
【符号の説明】
【００４３】
１０  フィルタ装置
２０  フィルタ枠
２０ａ  接続部
２０ｂ  フィルタエレメントを収納する部分
２０ｃ  フィルタ枠の端部
２１、２１ａ、２１ｂ  枠片
２２ａ  側壁
２２ｂ  側壁
２３、２３ａ、２３ｂ  連結子
２５  支持部
２６  受け部
３０  フィルタエレメント
３１  保持枠
３２  パッキング
３３  凹部
３４  濾材
３５  フェースガード
３６  接触部
３７  連結用の溝
４０  フィルタユニット
５０  装着構造
５１  押圧部材
５１ａ  挿入部
５１ｂ  潤滑部材、ジュラコンブッシュ
５１ｃ  ナット
５２  第１ネジ
５３  第２ネジ
５３’  ソケット
５４  軸部材
５５  止め部材
５５ａ  折り曲げ端部
５５ｂ  折り曲げ他端部
５６  ソケット
５７  長ボルトまたはボルト
５８  ナット
６０  ダクト
６１  接続部の壁
６２  ビス
６３  シール部
６４  テープ材
７０  カバー部材
７１  ボルト
８０  天井
８１  壁
８２  接続金具
８３  長ボルト
８４  ボルト
８５  骨材
８６  骨材
８７  吊り金具
１０４  クリーンルーム
１０４ｄ  天井面
１０５  フィルタユニット
１０５ａ  高性能フィルタ
１０５ｂ  ダクト接続口
１０５ｃ  ボリュームダンパー
２０１  清浄空気吹出装置
２０２  ケーシング
２０３  エアフィルタユニット
２０４  ダクト
２０５  エアフィルタ
２０６フィルタ取付枠
２０７  天井板
２０８  空間部
２０９  側板
２１０  下面部
２１１  フランジ部
２１２  開放口
２１３  接続フランジ
２１４  ファン
２３２ａ  ポップナット
２３２ｂ  ビス
【図１】
2008134007.tif 000003
【図２】
2008134007.tif 000004
【図３】
2008134007.tif 000005
【図４】
2008134007.tif 000006
【図５】
2008134007.tif 000007
【図６】
2008134007.tif 000008
【図７】
2008134007.tif 000009
【図８】
2008134007.tif 000010
【図９】
2008134007.tif 000011
【図１０】
2008134007.tif 000012
【図１１】
2008134007.tif 000013